(57)【要約】【課題】  サビキ釣りにおいて一度に複数の魚を釣り上げたとき、それらの魚を１回の動作で連続的に釣針から外すことができる魚外し器を提供する。【解決手段】  魚外し器１には、釣り糸に引かれて特定の側に弾性変形する横棒１１を設けるとともに、その横棒１１の当該弾性変形する側とは反対の側に、その横棒１１に対して直角かつ水平な方向から見るとき横棒１１と交差する縁部を含む縦向き部材１２を設ける。複数のハリスにて複数の釣針が結び付けられた幹糸が横棒１１上に押し付けられて一方向に動かされるとき、それらの釣針に掛かった複数の魚が各釣針から順次連続的に外れるとともに、その間、横棒１１に対し幹糸が外れないで押し付けられ続けるようにする。【選択図】      図１
2011036219.tif 000002
【特許請求の範囲】
【請求項１】
釣り糸に引かれると特定の側へ弾性変形する横棒を有するとともに、その横棒の当該弾性変形する側とは反対の側に、その横棒に対して直角かつ水平な方向から見るとき横棒と交差する縁部を含む縦向き部材を有することを特徴とする魚外し器。
【請求項２】
上記の横棒は、複数のハリスを介して複数の釣針が結び付けられた幹糸が当該横棒と接触した状態で長さ方向に動かされるとき、各釣針が引っ掛かったうえ、弾性変形する当該横棒の先端より釣針が外れるように構成されたものであり、
上記の縦向き部材は、ハリスに結び付けられた釣針が上記のように横棒から外れるときも、幹糸が上記横棒から外れないように幹糸の横移動を制限するものであることを特徴とする請求項１に記載の魚外し器。
【請求項３】
複数のハリスによって複数の釣針が結び付けられた幹糸が上記横棒の上面に押し当てられて一方向に動かされるとき、それらの釣針に掛かった複数の魚が各釣針から順次連続的に外れるとともに、
その間、上記の横棒に対し幹糸が外れないで上記のように押し付けられ続けるよう構成されている請求項１または２に記載の魚外し器。
【請求項４】
上記の横棒が、魚を収容するための上部の開いた容器の上方で、地面から２０ｃｍ以上の高さ位置に設けられることを特徴とする請求項１〜３のいずれかに記載の魚外し器。
【請求項５】
上記の横棒が、先端付近に上向きの傾斜部分を有することを特徴とする請求項１〜４のいずれかに記載の魚外し器。
【発明の詳細な説明】
【技術分野】
【０００１】
請求項に係る発明は、釣り上げた魚を釣針から外すことを容易にする魚外し器に関するものである。
【背景技術】
【０００２】
魚外し器については、下記の特許文献１等に記載されている。特許文献１におけるものは図４（ａ）のように構成され、同（ｂ）のように使用される。すなわち、その魚外し器は、バケツ等の容器３４の上縁部に取付片３３によって取り付けられ、その取付片３３の上に、概ね水平な部分を有する引掛け片（横棒）３１が設けられたものである。１本の幹糸に複数のハリスにより複数の釣針が結び付けられたいわゆるサビキ針を使用する場合、図４（ｂ）のようにして釣針から魚を外すことができる。すなわち、片手で釣竿５０を持つとともに他方の手で幹糸５１を引き、その幹糸５１を魚外し器の引掛け片３１の上に押し当てて手前に動かす。そうすると、ハリスの先に付けられた釣針が引掛け片３１に掛かり、引掛け片３１が、釣針に対する接触位置をチモト付近からフトコロ部、さらにはその先へと移動するため、魚Ａの口を押し出す作用をなして釣針から魚Ａを外すことになる。魚Ａが外れた後の釣針は、ハリスの張力によって弾性変形している引掛け片３１の先端部から抜け出ることにより、引掛け片３１との係合を解かれる。
【先行技術文献】
【特許文献】
【０００３】
【特許文献１】特開２０００−１０６８０３号公報
【発明の概要】
【発明が解決しようとする課題】
【０００４】
上記した魚外し器によれば、釣針に接触する引掛け片の作用により、サビキ針に掛かった魚をたくみに外すことができる。しかし、引掛け片の先端から釣針が抜け出るとき、ハリスから引っ張られることによって幹糸までもが引掛け片から外れて同片の外に出てしまいやすい。幹糸が引掛け片から外れると、もう一度幹糸を引っ掛け片に接触させ、図４（ｂ）の動作を繰り返す必要がある。
サビキ針は１本の幹糸に複数の釣針が付けられたもので、それを使用するサビキ釣りでは、一度に複数の魚を釣り上げられることも少なくない。しかし、上のように引掛け片から幹糸が外れやすいと、複数の魚を１回の動作で連続的に釣針から外すことは難しい。そのため、上記の魚外し器では、一度に複数の魚を釣り上げたとき、幹糸を引掛け片に接触させては引き動かすことを何回か繰り返すという、煩わしい動作が必要になる。
【０００５】
請求項に係る発明は、以上のような課題を解決するためにしたもので、サビキ釣りによって一度に複数の魚を釣り上げたとき、それらの魚を１回の動作で連続的に釣針から外すことができる魚外し器を提供することを目的としている。
【課題を解決するための手段】
【０００６】
発明の魚外し器は、釣り糸に引かれると特定の側へ弾性的に変形する横棒を設けるとともに、その横棒の当該弾性変形する側とは反対の側に、その横棒に対して直角かつ水平な方向から見るとき横棒と交差する縁部を含む縦向き部材を設けることを特徴とする。
図１における符号１１や図３における符号２１が上記横棒の例であり、図１における符号１２および図３における符号２２が上記縦向き部材の例である。
【０００７】
上記の横棒は、複数のハリスを介して複数の釣針が結び付けられた幹糸が当該横棒と接触した状態で長さ方向に動かされるとき、各釣針が引っ掛かったうえ、弾性変形する当該横棒の先端より釣針が外れるように構成し、
また上記の縦向き部材は、ハリスに結び付けられた釣針が上記のように横棒から外れるときにも、幹糸が上記横棒から外れないよう幹糸の横移動を制限するものとして構成するとよい。
【０００８】
すなわち、発明の魚外し器はとくに、複数のハリスによって複数の釣針が結び付けられた幹糸が上記横棒の上面に押し付けられて一方向に動かされるとき、それらの釣針に掛かった複数の魚が各釣針から順次連続的に外れるとともに、その間（幹糸が動かされて各釣針から魚が連続的に外れる間）、上記の横棒に対し幹糸が外れないで上記のように押し付けられ続けるように構成するのがよい。
【０００９】
上記のような魚外し器においても、図４（ｂ）と同様の要領で釣針から魚を外すことができる。すなわち、幹糸を魚外し器の横棒上面に押し当てて、横棒が弾性変形する側へ（手前寄りまたは先の方へ向けて）幹糸を長さ方向に動かすと、ハリスの先に付けられた釣針が横棒に掛かり、その横棒が、釣針に対する接触位置をチモト付近から先の方へと移動することにより、魚の口を押し出して釣針から魚を外すことができる。
その後、釣針は、弾性変形している横棒の先端から抜け出ることにより横棒から外れるが、上記の魚外し器において幹糸は、釣針が抜け出るときハリスから引っ張られるにもかかわらず、上記の縦向き部材に接触して移動を制限されることから、当該先端から外れることなく横棒との接触を維持し続ける（図２（１）〜（４）を参照）。
幹糸が横棒に接触し続けるなら、その幹糸を同一方向にさらに動かすことにより、別の釣針が横棒に引っ掛かり、上記と同様の作用で横棒が魚の口元を押し出して当該別の釣針から魚を外せることになる。発明の魚外し器によると、こうして、幹糸を横棒に押し当てて一方向に動かすだけで、ハリスを介しその幹糸に結び付けられた複数の釣針に掛かった魚のそれぞれを、順次連続的に外せるわけである。
【００１０】
上記の横棒は、魚を収容するための上部の開いた容器の上方で、地面（容器の設置面）から２０ｃｍ以上の高さ位置に設けるのがとくに好ましい。
上部の開いた容器の上方に上記の横棒を設けておくと、上記のように魚を外すとき、釣針から外れた魚をその容器内に落下させて自動的に収容し回収することができる。
横棒が地面から２０ｃｍ以上の高さにあると、その横棒に接触させながら一方向に動かす幹糸に角度を付けやすい。つまり、手前に引き動かす際には手前を下にし、先の方へ押し動かす際には先の方を下にすることが容易である。そのように幹糸に角度をもたせるとハリスにも角度を付けることができ、釣針のチモト付近からフトコロ部にかけて接触する横棒の位置を、釣針の、より針先に近い位置にまで移動させることができ、横棒によって魚の口元を押し出す作用を強くして、釣針からの魚外しをより確実にすることができる。
【００１１】
上記の横棒については、先端付近に上向きの傾斜部分（先端に近いほど位置が高くなる部分）を設けるとさらに好ましい。
そのような傾斜部分がなくても、上記の要領で釣針から魚を外すことは可能である。しかし、魚の口に釣針が強く食い込むように刺さっている場合には、釣針から押し出そうとする魚の口に多少強めの力をかけてやる必要がある。上記のように横棒の先端付近に上向きの傾斜部分があると、横棒に引っ掛かった釣針が横棒の先端から簡単には抜け出せないため、必然的に幹糸およびハリスに強めの張力を与えて横棒の弾性変形を大きくすることになる。ハリスの張力が強くなると、釣針と横棒とが接触する力も増大し、結果として横棒が魚の口を押し出す力が大きくなり、釣針から魚を外す作用が確実になる。
【発明の効果】
【００１２】
発明の魚外し器によれば、サビキ釣りにおいて一度に複数の魚を釣り上げたとき、幹糸を横棒に押し当てて一方向に動かすという簡単な一連の動作のみにより、それらの魚を連続的に釣針から外すことが可能になる。これは、幹糸に結び付けられた複数のハリスを介して複数の針が取り付けられているというサビキ針の特徴を的確に利用し、縦向き部材によって幹糸の横への移動を制限しながら、釣針を横棒に接触させてハリスとともに横方向へ移動させるという、本発明の巧みな作用によるものである。
【００１３】
また、横棒を設ける位置や高さを適切にすれば、釣針から外れた魚を容器内に自動的に収容することができるほか、釣針からの魚外しをより確実にすることも可能である。
横棒の先端付近に上向きの傾斜部分を設けると、釣針から魚を外す作用を確実にして、魚の口に釣針が強く刺さっている場合にも対応が可能になる。
【図面の簡単な説明】
【００１４】
【図１】発明の第一の実施形態を示す図であって、図１（ａ）は魚外し器１を後ろ側から見た斜視図、同（ｂ）刃魚外し器１を前側から見た斜視図である。
【図２】図２（１）〜（４）は、魚外し器１の使用態様を順を追って示す図である。ただし、右側に示す（ａ）は魚外し器１と幹糸５１・ハリス５２等との関係を示す正面図で、左側に示す（ｂ）は、（ａ）の各図の時点での横棒１１とハリス５２・釣針５３との関係を示す側面図である。
【図３】発明の第二の実施形態である魚外し器２を示す正面斜視図である。
【図４】従来の魚外し器に関する図であって、図４（ａ）は構成を示す斜視図、同（ｂ）は使用方法を示す概念図である。
【発明を実施するための最良の形態】
【００１５】
発明の一つの実施形態を図１および図２に示す。この魚外し器１は、下端部の開いた２枚の板が重ね合わされたクリップ板１３によって、図示のように容器１４の上縁部に取り付けられるもので、クリップ板１３に、針金状の線材でできた横棒１１と縦向き部材１２とが連結固定されている。横棒１１は概ね水平に延びた部分を有し、縦向き部材１２は概ね鉛直の部分を有していて、図示のように前後から見るとき双方の部分がほぼ直角に交差する。その交差した部分から横棒１１の先端までは、使用されるサビキ針における各ハリスの長さよりも短くする。
【００１６】
横棒１１は、容器１４の底面からの高さが２０ｃｍ以上（好ましくは３０〜４０ｃｍ程度）になる位置に設けられ、その先端付近には、先の方を上に向けた傾斜部分１１ａが形成されている。一方、縦向き部材１２のうち横棒１１と接触する（または最も接近する）部分には、横棒１１がはまる屈曲部１２ａが形成されている。横棒１１は弾性変形しやすい太さ０．５〜３．０ｍｍの線材であり、縦向き部材１２から離れる向き、すなわち図１（ａ）においては先方へ、図１（ｂ）においては手前の向きに弾性的にたわむことができる。なお横棒１１と縦向き部材１２、クリップ板１３は、たとえばステンレス鋼や真鍮等の不錆金属によって形成し、横棒１１が縦向き部材１２よりもやや細くなるようにするとよい。
【００１７】
図１の魚外し器１は、サビキ釣りによってたとえば複数のアジを同時に釣り上げた際、それらを連続的にサビキ針より外すことができるという利点を有している。その要領および作用は、図２に基づいて説明するとつぎのとおりである。ここでは、図１（ｂ）に示すとおり縦向き部材１２の手前に横棒１１が位置するように魚外し器１を設置して、釣糸（幹糸５１）を手前寄りに引き動かす場合を説明するが、設置向きを逆にして釣糸を先方へ押し動かす場合にもこれに準じた作用がある。
【００１８】
（１）  サビキ針における複数の釣針に同時に複数の魚が掛かっている場合、まず、図２（１）の（ａ）・（ｂ）のように、幹糸５１を、魚外し器１の横棒１１に対し上から接触させる。このとき、図４（ｂ）と同様に片手で釣竿５０を持つとともに他方の手で幹糸５１を引き、その幹糸５１を魚外し器１の横棒１１に当てるとよい。
【００１９】
（２）  幹糸５１を手前寄りに手で引いて動かすと、ハリス５２の先に結び付けられていて魚Ａが掛かった釣針５３が、図２（２）の（ａ）・（ｂ）のように横棒１１に引っ掛かる。このとき、魚Ａの重さのために、釣針５３はフトコロ部に近い部分が下方にあり、チモト付近が上になって横棒１１と接触する。
【００２０】
（３）  幹糸５１をさらに手前寄りに引くと、幹糸５１およびハリス５２の張力によって横棒１１が弾性変形して手前寄りにたわむとともに、釣針５３は、横棒１１との接触部分を次第にフトコロ部に移しながら、横棒１１の先端寄りにスライドする（図２（３）の（ａ）・（ｂ）参照）。魚Ａは、この時点で釣針５３から外れることも少なくない。
【００２１】
（４）  幹糸５１をさらに手前に引くと、図２（４）の（ａ）・（ｂ）のように、横棒１１がさらに弾性変形して手前にたわみ、釣針５３は、横棒１１の先端から抜け出るまで傾斜部分１１ａ上をスライドする。このとき、幹糸５１およびハリス５２には大きめの張力が作用し、その張力に匹敵する力が釣針５３と横棒１１との間にも作用する結果、釣針５３に掛かった魚Ａを横棒１１が強い力で釣針５３から押し出すこととなる。横棒１１が十分に高い位置にあるので、手に持った幹糸５１の位置を下げることができ、そのように位置を下げると、針先に近い位置で釣針５３に横棒１１を接触させることができて、横棒１１による、釣針５３からの魚Ａの押し出しを確実にすることもできる。
【００２２】
（５）  魚Ａが釣針５３から外れて釣針５３が横棒１１の先端から抜け出たときも、幹糸５１は、図２（４）の（ｂ）のように縦向き部材１２にて横方向への移動を制限される結果、横棒１１との接触を維持し続ける。そのため、さらに幹糸５１を手前に引き動かすことにより、同じ幹糸５１に結び付けられた別のハリス５２の先にある釣針５３に掛かった別の魚Ａ（図２（４）の（ｂ）において図の上の方に示したもの）を、上記と同じ作用によって釣針５３から外すことができる。こうして、幹糸５１を横棒１１に押し当てて一方向に動かすだけで、サビキ針の複数の釣針５３上の魚Ａのそれぞれを順次連続的に外すことが可能になる。
【００２３】
発明の他の実施形態を図３に示す。この魚外し器２は、底板２３の上に２本の柱を立てたうえ、一方の柱（横棒取り付け部材２１ｂ）に横棒２１を取り付け、他方の柱を縦向き部材２２としたものである。横棒２１は水平に近い方向に延びた部分を有し、縦向き部材２２は底板２３上に略鉛直に立ったもので、図示のように正面から見るとき、縦向き部材２２の内向き（図示右側）の縁部と横棒２１とがほぼ直角に交差する。底板２３を、バケツ等の容器２４の底部に固定して、横棒２１が、容器２４内の水面上に出て容器の底部（地面）から３０〜４０ｃｍ程度の高さになるようにするのがよい。そしてこの例でも、横棒２１や２本の柱（縦向き部材２２等）および底板２３は、不錆金属や樹脂等で形成するのが好ましい。
【００２４】
横棒２１は、その弾性力によって先端に近い部分が縦向き部材２２の側面に押し当てられていて、図の紙面手前に引っ張られることにより手前寄りに弾性変形する。そして横棒２１の先端付近には、先の方を上に向けた傾斜部分２１ａが形成されている。なお、この例でも、横棒２１の上記交差した部分からその横棒２１の先端までは、使用されるサビキ針におけるハリスの長さよりも短くする。
【００２５】
図３の魚外し器２を使用することによっても、サビキ釣りにおいて複数の魚を同時に釣り上げた際、それらを連続的にサビキ針より外すことが可能である。２本の柱の間で横棒２１に幹糸を接触させ、その幹糸を手前に引き動かすと、図２（１）〜（４）と同様の作用によって、複数の釣針上の魚を順次連続的に外すことができるからである。もちろん、魚外し器２を図示の状態から１８０°水平回転させた状態に設置したうえ、２本の柱の間で横棒２１に幹糸を接触させ、その幹糸を先方に押し動かすようにしても、同じように連続的な魚外しが行える。
【００２６】
なお、発明の魚外し器は、図１・図３に示す形態に限らず、弾性変形する横棒と、それに交差する縁部を含む縦向き部材とを設けることにより、種々の形態で実施することができる。
【符号の説明】
【００２７】
１・２  魚外し器
１１・２１  横棒
１１ａ・２１ａ  傾斜部分
１２・２２  縦向き部材
１４・２４  容器
５１  幹糸
５２  ハリス
５３  釣針（サビキ針）
Ａ  魚
【図１】
2011036219.tif 000003
【図２】
2011036219.tif 000004
【図３】
2011036219.tif 000005
【図４】
2011036219.tif 000006